(57)【要約】【課題】作業者が手で操作することなく台紙からラベルを確実に剥離でき、梱包材等へのラベルの貼り付け作業を効率よく行えるようにする。【解決手段】フットペダル１１を移動させるフットペダル移動部１０と、動滑車２３を移動させる動滑車移動部２０と、台紙Ｍを挟持して移動させる台紙挟持移動部３０と、台紙挟持移動部３０に一端が接続され動滑車移動部２０に掛け渡されたワイヤーＷ２とを備え、フットペダル１１の移動により動滑車移動部２０が移動し、ワイヤーＷ３が引っ張られて台紙挟持移動部３０が回転移動して台紙Ｍを一定量搬送する台紙搬送手段と、剥離板４１を備え、前記搬送手段により搬送される台紙Ｍが剥離板を４１通過することにより台紙ＭからラベルＬを剥離させるラベル剥離部４０と、移動したフットペダル１１及び動滑車移動部２０を元の位置に復帰させるフットペダル・動滑車復帰部５０とを備えたラベル剥離装置。【選択図】図１
2017030778.tif 000002
【特許請求の範囲】
【請求項１】
フットペダルを移動させ、このフットペダル移動により台紙を挟持する回転体を回転させて該台紙を一定量搬送し、搬送される前記台紙からラベルを剥離させることを特徴とするラベルの剥離方法。
【請求項２】
フットペダルを移動させ、このフットペダルの移動により動滑車を移動させて該動滑車に掛け渡されたワイヤーを引張り、該ワイヤーの一端に接続され台紙を挟持する回転体を回転させて該台紙を一定量搬送し、搬送される前記台紙が剥離板を通過することにより前記台紙からラベルを剥離させた後、移動した前記フットペダルおよび前記動滑車を元の位置に復帰させることを特徴とするラベルの剥離方法。
【請求項３】
前記回転体は一対の歯車であることを特徴とする請求項１又は請求項２記載のラベルの剥離方法。
【請求項４】
フットペダルを移動させるフットペダル移動手段と、
前記フットペダルの移動により台紙を一定量搬送する台紙搬送手段と、
前記台紙搬送手段が前記台紙を一定量搬送することにより前記台紙からラベルを剥離するラベル剥離手段と
を備えたことを特徴とするラベル剥離装置。
【請求項５】
フットペダルを移動させるフットペダル移動手段と、
動滑車を移動させる動滑車移動部と、台紙を挟持して移動させる台紙挟持移動部と、該台紙挟持移動部に一端が接続され前記動滑車移動部に掛け渡されたワイヤーとを備え、前記フットペダルの移動により前記動滑車移動部が移動し、前記ワイヤーが引っ張られて前記台紙挟持移動部が回転移動して前記台紙を一定量搬送する台紙搬送手段と、
剥離板を備え、前記搬送手段により搬送される前記台紙が該剥離板を通過することにより前記台紙からラベルを剥離させるラベル剥離手段と、
移動した前記フットペダル及び前記動滑車移動部を元の位置に復帰させるフットペダル・動滑車復帰手段と、
を備えたことを特徴とするラベル剥離装置。
【請求項６】
前記台紙挟持移動部は一対の歯車を備えていることを特徴とする請求項４又は請求項５記載のラベルの剥離装置。
【発明の詳細な説明】
【技術分野】
【０００１】
本発明は、フットペダルを操作して台紙を繰り出してラベルを台紙から剥離するラベルの剥離方法及びラベル剥離装置に関するものである。
【背景技術】
【０００２】
各種製品の出荷前においては、ダンボール箱等の梱包材や製品の表面にラベルを貼り付ける作業が行われる。このラベルを貼り付ける作業においては、作業者が、ラベルプリンターより繰り出される台紙からラベルを剥がして梱包材等に貼り付けている。この梱包材等にラベルを貼り付ける作業を補助するものとして、簡易な機構で台紙からラベルを剥離するラベル剥離装置が提案されている。
例えば、特開２００９−２０２９１０号公報（特許文献１）には、レバーを操作して主動軸を回転させ、この回転を中間ギヤ等により搬送ローラに伝達し、剥離板によって折り返された帯状台紙を搬送ローラで搬送することにより、帯状台紙からラベルを剥離する手動式剥離装置が開示されている。
また、実開平６−１２３１１号公報（特許文献２）には、把手を回転させることにより引張りローラを回転させて台紙を搬送し、台紙がエッジ板のエッジ部を通過する際に台紙からラベルを剥離させるラベル剥離器が開示されている。
【０００３】
しかしながら、特許文献１の手動式剥離装置や特許文献２のラベル剥離器を使用して、台紙からラベルを梱包材等に貼り付ける作業を行う場合、作業者は、手動式剥離装置のレバーを手で押し下げたり、ラベル剥離器の把手を手で回転させた後、台紙に一部が付着しているラベルを手でつかんで梱包材に貼り付ける必要がある。すなわち、作業者は、手動式剥離装置やラベル剥離器の操作からラベルを貼り付け作業をすべて手で行うこととなり、作業性が悪く、ラベルを台紙から剥離して梱包材等に貼り付ける作業に時間を要するという問題が生じていた。
また、上記手動式剥離装置やラベル剥離器においては、手の操作により、台紙を挟持した一対のローラを回転させて台紙を搬送させる。このため、台紙を挟持した一対のローラの押付圧をあまり強くできず（一対のローラの押付圧を強くすると手の操作ではローラを回転させることができなくなる）、台紙を搬送させるときに台紙と一対のローラとが滑り、台紙を一定量搬送させることができず、台紙からのラベルの剥離が不確実になるという問題も生じていた。
【先行技術文献】
【特許文献】
【０００４】
【特許文献１】特開２００９−２０２９１０号公報
【特許文献２】実開平６−１２３１１号公報
【発明の概要】
【発明が解決しようとする課題】
【０００５】
本発明が解決しようとする課題は、ラベルを台紙から剥がして梱包材等に貼り付ける作業において、作業者が手で操作することなく台紙からラベルを確実に剥離でき、梱包材等へのラベルの貼り付け作業を効率よく行えるようにすることである。
【課題を解決するための手段】
【０００６】
本発明は、フットペダルを移動させ、このフットペダル移動により台紙を挟持する回転体を回転させて該台紙を一定量搬送し、搬送される前記台紙からラベルを剥離させるラベルの剥離方法を提供して、上記課題を解決するものである。
【０００７】
本発明は、フットペダルを移動させ、このフットペダルの移動により動滑車を移動させて該動滑車に掛け渡されたワイヤーを引張り、該ワイヤーの一端に接続され台紙を挟持する回転体を回転させて該台紙を一定量搬送し、搬送される前記台紙が剥離板を通過することにより前記台紙からラベルを剥離させた後、移動した前記フットペダルおよび前記動滑車を元の位置に復帰させるラベルの剥離方法を提供して、上記課題を解決するものである。
【０００８】
本発明は、前記回転体は一対の歯車であるラベルの剥離方法を提供して、上記課題を解決するものである。
【０００９】
本発明は、フットペダルを移動させるフットペダル移動手段と、前記フットペダルの移動により台紙を一定量搬送する台紙搬送手段と、前記台紙搬送手段が前記台紙を一定量搬送することにより前記台紙からラベルを剥離するラベル剥離手段とを備えたラベル剥離装置を提供して、上記課題を解決するものである。
【００１０】
本発明は、フットペダルを移動させるフットペダル移動手段と、動滑車を移動させる動滑車移動部と、台紙を挟持して移動させる台紙挟持移動部と、該台紙挟持移動部に一端が接続され前記動滑車移動部に掛け渡されたワイヤーとを備え、前記フットペダルの移動により前記動滑車移動部が移動し、前記ワイヤーが引っ張られて前記台紙挟持移動部が回転移動して前記台紙を一定量搬送する台紙搬送手段と、剥離板を備え、前記搬送手段により搬送される前記台紙が該剥離板を通過することにより前記台紙からラベルを剥離させるラベル剥離手段と、移動した前記フットペダル及び前記動滑車移動部を元の位置に復帰させるフットペダル・動滑車復帰手段とを備えたラベル剥離装置を提供して、上記課題を解決するものである。
【００１１】
本発明は、前記回転体は一対の歯車であるラベルの剥離装置を提供して、上記課題を解決するものである。
【発明の効果】
【００１２】
本発明のラベルの剥離方法は、フットペダルを移動させ、このフットペダル移動により台紙を挟持する回転体を回転させて該台紙を一定量搬送し、搬送される前記台紙からラベルを剥離させるため、作業者が手で操作することなく台紙からラベルを剥離することができ、剥離されたラベルを梱包材等へ貼り付ける作業を効率よく行えるという効果を奏する。
【００１３】
本発明のラベルの剥離方法は、フットペダルを移動させ、このフットペダルの移動により動滑車を移動させて該動滑車に掛け渡されたワイヤーを引っ張り、該ワイヤーの一端に接続され台紙を挟持する回転体を回転させて該台紙を一定量搬送し、搬送される前記台紙が剥離板を通過することにより前記台紙からラベルを剥離させた後、移動した前記フットペダルおよび前記動滑車を元の位置に復帰させるため、作業者が手で操作することなく台紙からラベルを連続して剥離することができ、剥離されたラベルを梱包材等へ貼り付ける作業を効率よく行えるという効果を奏する。
【００１４】
本発明のラベルの剥離方法は、前記回転体は一対の歯車であるため、さらに、前記台紙を滑らせることなく一定量搬送することができ、前記台紙からラベルを確実に剥離することができるという効果を奏する。
【００１５】
本発明のラベル剥離装置は、フットペダル移動手段がフットペダルを移動させ、このフットペダルの移動により台紙搬送手段が台紙を一定量搬送させ、前記台紙搬送手段が前記台紙を一定量搬送することによりラベル剥離手段が前記台紙からラベルを剥離するため、作業者が手で操作することなく台紙からラベルを剥離することができ、剥離されたラベルを梱包材等へ貼り付ける作業を効率よく行えるという効果を奏する。
【００１６】
本発明のラベル剥離装置は、フットペダル移動手段がフットペダルを移動させ、台紙搬送手段が、前記のフットペダルの移動により動滑車移動部の動滑車を移動させて該動滑車に掛け渡されたワイヤーを引っ張り、該ワイヤーの一端に接続され台紙を挟持して移動する台紙挟持移動部を回転移動させて該台紙を一定量搬送し、ラベル剥離手段が、搬送される前記台紙が剥離板を通過することにより前記台紙からラベルを剥離させ、フットペダル・動滑車復帰手段が移動した前記フットペダルおよび前記動滑車移動部を元の位置に復帰させるため、作業者が手で操作することなく台紙からラベルを連続して剥離することができ、剥離されたラベルを梱包材等へ貼り付ける作業を効率よく行えるという効果を奏する。
【００１７】
本発明のラベル剥離装置は、前記台紙挟持移動部が一対の歯車を備えているため、さらに、前記台紙を滑らせることなく一定量搬送することができ、前記台紙からラベルを確実に剥離することができるという効果を奏する。
【図面の簡単な説明】
【００１８】
【図１】本発明のラベル剥離装置の一実施形態を示した正面図である。
【図２】図１に示す台紙挟持移動部等の要部を示す平面図である。
【図３】フットペダル１１を回転移動させてラベルＬを台紙Ｍから剥離した状態におけるラベル剥離装置１の正面図である。
【図４】ラベル剥離装置１を背面から見た状態のフットペダル移動部１０、動滑車移動部２０、フットペダル・動滑車復帰部５０等の動作を模式的に表した説明図である。
【図５】台紙挟持移動部３０におけるワンウェイクラッチ３５の動作を説明する説明図である。
【発明を実施するための形態】
【００１９】
まず、本発明のラベル剥離装置の構成について説明する。
図１は、本発明のラベル剥離装置の一実施形態を示した正面図であり、図２は、図１に示す台紙挟持移動部等の要部を示す平面図であり、図１においては、フレーム等の一部を省略し、省略した主な部分を一点鎖線で表している。図中、１はラベル剥離装置、２（２ａ、２ｂ）はメインフレーム、３、４（４ａ、４ｂ）はサイドフレーム、５は補助フレーム、１０はフットペダル移動部、１１はフットペダル、１２は固定板、２０は動滑車移動部、２１は回転支持板、２２はワイヤーロール、２３は動滑車、２４、２５はカイドロール、２６は固定支持板、２７、２８は定滑車、２９はワイヤー固定部材、３０は台紙挟持移動部、３１は回転軸、３２、３３は歯車、３４は巻き上げロール、３５はワンウェイクラッチ、３６ａ、３６ｂはフランジ、３７は固定軸、３８ａ、３８ｂはフランジ、４０はラベル剥離部、４１は剥離板、４２はガイト板、４３はダンサーロール、４４は支持板、５０はフットペダル・動滑車復帰部、５１は巻き上げロール、５２、５３はガイドロール、５４は支持板、５５はウエイト、６０はラベルプリンター（ラベラー）、Ｌはラベル、Ｍは台紙、Ｗ１、Ｗ２、Ｗ３はワイヤーである。
【００２０】
［ラベル剥離装置の全体構成］
ラベル剥離装置１は、図１に示すように、鉛直方向に配置されたメインフレーム２（２ａ、２ｂ）と、水平方向に配置されたサイドフレーム３、４とより全体の骨格が形成され、サイドフレーム３はメインフレーム２の下部に連結され、サイドフレーム４はメインフレーム２の上部に連結されている。
そして、ラベル剥離装置１は、フットペダル１１を移動させるフットペダル移動部１０と、動滑車２３を移動させる動滑車移動部２０と、台紙Ｍを挟持して移動させる台紙挟持移動部３０と、台紙ＭからラベルＬを剥離させるラベル剥離部４０と、フットペダル１１及び動滑車２３（動滑車移動部２０）を元の位置に復帰させるフットペダル・動滑車復帰部５０と、ワイヤーＷ１、Ｗ２、Ｗ３を備えている。
【００２１】
［フットペダル移動部１０］
フットペダル移動部１０は、フットペダル１１と固定板１２から構成され、フットペダル１１の一端１１ａは、ワイヤーロール２２に巻き付けられるワイヤーＷ１が連結され、フットペダル１１の他端１１ｂは、固定板１２に回転自在に連結されている。
このフットペダル移動部１０においては、作業者が足でフットペダル１１を踏むことにより、フットペダル１１が他端１１ｂを中心に回転移動し、ワイヤーＷ１を引っ張り、ワイヤーロール２２が回転する。
【００２２】
［動滑車移動部２０］
動滑車移動部２０は、回転支持板２１、ワイヤーロール２２、動滑車２３、カイドロール２４、２５、固定支持板２６、定滑車２７、２８、ワイヤー固定部材２９等から構成される。
一点鎖線で示す回転支持板２１は、ワイヤーロール２２に固定結合され、ワイヤーロール２２は回転軸（図示ぜず）を介してメインフレーム２ａに回転自在に取付けられている。この回転支持板２１には、動滑車２３、カイドロール２４、２５が回転自在に取付けられている。
また、一点鎖線で示す固定支持板２６は、その一端がメインフレーム２ａに固定結合され、この固定支持板２６には定滑車２７、２８が回転自在に取付けられ、回転支持板２１の先端部と固定支持板２６との間にはロール状のストッパー（図示せず）が設けられている。
さらに、サイドフレーム３には、ワイヤーＷ２の一端を固定するワイヤー固定部材２９が取付けられ、ワイヤーＷ２は、ワイヤー固定部材２９から順に定滑車２８、動滑車２３、定滑車２７、カイドロール２４、２５に掛け渡されている。
そして、作業者が足でフットペダル１１を踏むことにより、その先端１１ａに取付けられたワイヤーＷ１が下方に引っ張られ、ワイヤーロール２２に巻き付けられたワイヤーＷ１が巻き戻されてワイヤーロール２２及び回転支持板２１が回転移動し、動滑車２３が上方に移動し、動滑車２３に掛け渡されたワイヤーＷ２が引っ張られる。
【００２３】
［台紙挟持移動部３０］
台紙挟持移動部３０は、図２に示すように、回転軸３１、歯車３２、３３、巻き上げロール３４、ワンウェイクラッチ３５、フランジ３６ａ、３６ｂ、固定軸３７、フランジ３８ａ、３８ｂ等より構成される。
回転軸３１は、フランジ３６ａ、３６ｂを介してサイドフレーム４ａ、４ｂに回転自在に取付けられ、回転軸３１には、ワンウェイクラッチ３５を介して歯車３２が取付けられ、巻き上げロール３４が回転不能に取付けられている。
また、固定軸３７は、フランジ３８ａ、３８ｂを介してサイドフレーム４ａ、４ｂに回転不能に取付けられ、固定軸３７には、歯車３３が回転自在に取付けられている。
そして、歯車３２と歯車３３により台紙Ｍが挟持され、ワイヤーＷ２は一端が巻き上げロール３４に固定結合されている。このため、ワイヤーＷ２が引っ張られると、巻き上げロール３４に巻き付けられているワイヤーＷ２が巻き戻され、巻き上げロール３４と回転軸３１が回転し、ワンウェイクラッチ３５がロックされているから回転軸３１と共に歯車３２が回転し、歯車３２と歯車３３により挟持されている台紙Ｍが下方に搬送される。
なお、回転軸３１には、巻き上げロール５１が回転不能に取付けられ、巻き上げロール５１にはワイヤーＷ３の一端が固定結合され、ワイヤーＷ２が引っ張られて回転軸３１が回転すると、巻き上げロール５１も回転し、ワイヤーＷ３を巻き上げることとなる。
【００２４】
［ラベル剥離部４０］
ラベル剥離部４０は、剥離板４１、ガイト板４２、ダンサーロール４３、支持板４４等より構成される。
図１に示すように、剥離板４１とガイト板４２は、傾斜した状態で、メインフレーム２ａの上端部に支持部材（図示せず）を介して取付けされ、ガイト板４２は剥離板４１より上方に位置し、は剥離板４１とガイト板４２の間隔（隙間）は、ラベルＬと台紙Ｍの厚みより僅かに広く設定されている。
また、一点鎖線で示す支持板４４にはダンサーロール４３が取付けられるが、ダンサーロール４３は上下方向に移動可能なように取付けられ、支持板４４は補助フレーム５に取付けられる。
そして、ラベルプリンター（ラベラー）６０から繰り出されるラベルＬ付台紙Ｍは、ダンサーロール４３と剥離板４１に掛け渡され、剥離板４１の先端部４１ａで鋭角に折り曲げられた状態で、歯車３２と歯車３３により挟持される。これにより、歯車３２が回転するとダンサーロール４３が上方に移動して台紙Ｍが搬送され、剥離板４１の先端部４１ａで台紙ＭからラベルＬが剥離される。
【００２５】
［フットペダル・動滑車復帰部５０］
フットペダル・動滑車復帰部５０は、巻き上げロール５１、ガイドロール５２、５３、支持板５４は、ウエイト５５等より構成される。
図２に示すように、巻き上げロール５１は回転軸３１に回転不能に取付けられ、巻き上げロール５１にはワイヤーＷ３の一端が固定結合されている。
また、一点鎖線で示す支持板５４が取付けられ、支持板５４にはガイドロール５２、５３が回転自在に取付けられている。
さらに、メインフレーム２ｂには、ウエイト５５が上下方向に移動可能に取付けられ、ウエイト５５には、ワイヤーＷ３の他端が固定結合されている。
そして、巻き上げロール５１が回転してワイヤーＷ３が巻き上げられると、ワイヤーＷ３は、ガイドロール５２、５３を介して上方に引っ張られ、ウエイト５５が持ち上げられ、メインフレーム２ｂに沿って上方に移動する。逆に、ウエイト５５が自重により下方に移動すると、ワイヤーＷ３が下方に引っ張られ、巻き上げロール５１のワイヤーＷ３が巻き戻され、巻き上げロール３４、５１が回転軸３１と共に回転する。
【００２６】
［ラベル剥離装置１の動作］
図３は、ラベル剥離装置１において、フットペダル１１を回転移動させてラベルＬを台紙Ｍから剥離した状態におけるラベル剥離装置１の正面図であり、図３において、フットペダル１１、回転支持板２１、ダンサーロール４３及びウエイト５５の元の位置を破線で示す。また、図４は、ラベル剥離装置１を背面から見た状態のフットペダル移動部１０、動滑車移動部２０、フットペダル・動滑車復帰部５０等の動作を模式的に表した説明図であり、図５は、台紙挟持移動部３０におけるワンウェイクラッチ３５の動作を説明する説明図である。以下、図に基づいてラベル剥離装置１の動作を説明する。
【００２７】
［ラベルＬを台紙Ｍから剥離させる動作］
まず、作業者が足でフットペダル１１を踏むと、フットペダル１１が下方に回転移動し（図３、図４の矢印Ａ１）、一端１１ａに取付けられたワイヤーＷ１が下方に引っ張られ、ワイヤーロール２２が回転し、回転支持板２１が上方向に回転移動する（図３、図４の矢印Ａ２）。
これにより動滑車２３が上方に移動し、動滑車２３に掛け渡されたワイヤーＷ２が引っ張られ、巻き上げロール３４とカイドロール２４、２５間でワイヤーＷ２が下方に引っ張られて、巻き上げロール３４が正面からみて時計回り（背面からみて反時計回り）に回転し（図３、図４の矢印Ａ３）、同時に回転軸３１が同じ方向に回転する。
このとき、図５（ａ）に示すように、ワンウェイクラッチ３５はロックされている状態となり、歯車３２が回転軸３１の回転によって同じ方向に回転し、歯車３２と噛み合う歯車３３が回転し、歯車３２と歯車３３に挟持された台紙Ｍが下方に引っ張られる。
台紙Ｍが下方に引っ張られるとダンサーロール４３が上方に移動して台紙Ｍが一定量搬送され、剥離板４１の先端部４１ａおいて台紙ＭからラベルＬが剥離され、図３に示すように、ラベルＬは、大部分が台紙Ｍから剥離されて剥離板４１の先端部４１ａより前方に突き出た状態となり、作業者は、容易に台紙Ｍから剥がされたラベルＬを手でつかんで梱包材に貼り付けることができる。
一方、巻き上げロール３４の回転による回転軸３１の回転により、巻き上げロール５１が正面からみて時計回り（背面からみて反時計回り）に回転し（図４の矢印Ａ４）、ワイヤーＷ３が巻き上げられ、ウエイト５５が上方に移動する（図３、図４の矢印Ａ５）。
また、ダンサーロール４３は、下方に移動して元の位置に戻り、これによりラベルプリンター（ラベラー）６０から次のラベルが繰り出される。
以上のように、作業者は、フットペダル１１を足で踏むだけで、台紙ＭからラベルＬが剥がされ、この剥がされたラベルＬを手でつかんで梱包材等に貼り付ければよく、ラベルＬを台紙Ｍから剥がして梱包材に貼り付ける作業を効率よく行うことができる。
【００２８】
［フットペダル１１、動滑車２３等を元の位置に復帰させる動作］
作業者がフットペダル１１から足を外してフットペダル１１を解放すると、ワイヤーＷ２に作用していた引っ張りも解放され、ウエイト５５が自重により下方に移動し（図４の矢印Ｂ１）、ワイヤーＷ３が下方に引っ張られ、巻き上げロール５１のワイヤーＷ３が巻き戻され、巻き上げロール５１が正面からみて反時計回り（背面からみて時計回り）に回転する（図４の矢印Ｂ２）。
これにより、回転軸３１を介して巻き上げロール３４が正面からみて反時計回り（背面からみて時計回り）に回転し（図４の矢印Ｂ３）、ワイヤーＷ２を巻き上げる。
このとき、図５（ｂ）に示すように、ワンウェイクラッチ３５のロックは解除されている状態となり、歯車３２と回転軸３１は空転し、歯車３２は静止した状態となる。
そして、巻き上げロール３４がワイヤーＷ２を巻き上げることにより、ワイヤーＷ２が上方に引っ張られて動滑車２３が下方に移動し、これにより、回転支持板２１が下方向に回転移動し（図４の矢印Ｂ４）、ワイヤーロール２２が回転してワイヤーＷ１を巻き上げ、フットペダル１１を上方に回転移動させる。
このようにして、フットペダル１１を解放することにより、フットペダル１１、動滑車２３（動滑車移動部２０）等が元の位置に復帰する。
なお、回転支持板２１の先端部と固定支持板２６との間にはロール状のストッパー（図示せず）が設けられ、回転支持板２１の先端部が所定の位置より下に移動しないようにしている。
【００２９】
以上のように、作業者は、フットペダル１１を足で踏むだけで、台紙ＭからラベルＬが剥がされ、この剥がされたラベルＬを手でつかんで梱包材等に貼り付ければよく、また、作業者がフットペダル１１から足を外すだけで、フットペダル１１等が元の位置に復帰して次のラベルＬを台紙Ｍから剥がせる状態となり、台紙ＭからラベルＬを剥がして梱包材に貼り付ける作業を効率よく行うことができる。
【産業上の利用可能性】
【００３０】
本発明のラベルの剥離方法及びラベル剥離装置は、ラベルを台紙から剥がして梱包材等に貼り付ける作業において、作業者が手で操作することなく台紙からラベルを確実に剥離でき、梱包材等へのラベルの貼り付け作業を効率よく行えるようにする。
【００３１】
１  ラベル剥離装置
２、２ａ、２ｂ  メインフレーム
３、４、４ａ、４ｂ  サイドフレーム
５  補助フレーム
１０  フットペダル移動部
１１  フットペダル
１１ａ  フットペダルの一端
１１ｂ  フットペダルの他端
１２  固定板
２０  動滑車移動部
２１  回転支持板
２２  ワイヤーロール
２３  動滑車
２４、２５  カイドロール
２６  固定支持板
２７、２８  定滑車
２９  ワイヤー固定部材
３０  台紙挟持移動部
３１  回転軸
３２、３３  歯車
３４  巻き上げロール
３５  ワンウェイクラッチ
３６ａ、３６ｂ  フランジ
３７  固定軸
３７ａ、３７ｂ  フランジ
４０  ラベル剥離部
４１  剥離板
４２  ガイト板
４３  ダンサーロール
４４  支持板
５０  フットペダル・動滑車復帰部
５１  巻き上げロール
５２、５３  ガイドロール
５４  支持板
５５  ウエイト
６０  ラベルプリンター（ラベラー）
Ｌ  ラベル
Ｍ  台紙
Ｗ１、Ｗ２、Ｗ３  ワイヤー
【図１】
2017030778.tif 000003
【図２】
2017030778.tif 000004
【図３】
2017030778.tif 000005
【図４】
2017030778.tif 000006
【図５】
2017030778.tif 000007